(57)【要約】【課題】ベースの軸内に電池を収納することによって小型化を図るとともに、電源ユニットを３６０°回転させても断線や不灯が発生することがない携帯用照明装置を提供すること。【解決手段】電池４を収容する電池ケース５と、ＬＥＤ（光源）６と該ＬＥＤ６への前記電池４から給電をＯＮ／ＯＦＦするスイッチ７を含む駆動部８と、該駆動部８と前記電池ケース５を保持するベース９を備えた光源ユニット２と、  該光源ユニット２を第１の方向に配置された第１軸（垂直軸）を中心として３６０°回転可能に保持するベースケース３と、で携帯用照明装置１を構成する。【選択図】図３
2010165606.tif 000002
【特許請求の範囲】
【請求項１】
電池を収容する電池ケースと、光源と該光源への前記電池から給電をＯＮ／ＯＦＦするスイッチを含む駆動部と、該駆動部と前記電池ケースを保持するベースを備えた光源ユニットと、
該光源ユニットを第１の方向に配置された第１軸を中心として３６０°回転可能に保持するベースケースと、
で構成されることを特徴とする携帯用照明装置。
【請求項２】
前記光源ユニットと前記ベースケースの一方に突設された複数の爪を他方に形成された複数の係合溝に係合させることによって光源ユニットをベースケースに対して回転可能に保持するとともに、前記爪とこれが係合する前記係合溝とを周方向に不等角ピッチで形成したことを特徴とする請求項１記載の携帯用照明装置。
【請求項３】
前記駆動部を前記ベースに前記第１軸と直交する第２軸を中心として９０°以上回動可能に軸支したことを特徴とする請求項１又は２記載の携帯用照明装置。
【請求項４】
前記駆動部の前記ベースへの軸支部周りに複数の凹凸部によるクリック機構を設けたことを特徴とする請求項３記載の携帯用照明装置。
【請求項５】
前記凹凸部を前記駆動部の軸支部の両側に設けるとともに、各側に設けられた凹凸部の配列位相を互いにずらせたことを特徴とする請求項４記載の携帯用照明装置。
【発明の詳細な説明】
【技術分野】
【０００１】
本発明は、光源や電池を備えた光源ユニットを１つの軸回りに３６０°回転させることができる携帯用照明装置に関するものである。
【背景技術】
【０００２】
自転車等のライダーが夜間走行時に携帯したり、自動車の夜間でのタイヤ交換等の用途に供される携帯用照明装置に関して、特許文献１には、図１１に示すようなランプが提案されている。
【０００３】
即ち、図１１は特許文献１において提案されたランプの斜視図であり、図示のランプ１０１は、第１の方向に延びている長手方向軸Ｘと、該長手方向軸Ｘに対して直角の第２の方向に延びている横方向軸Ｙを有する不図示のベースを備え、このベース上にはピボットアーム１０２が横方向軸Ｙを中心として１８０°に亘って回転可能に取り付けられている。そして、ピボットアーム１０２には複数（図示例では、３つ）のＬＥＤ１０３が取り付けられており、各ＬＥＤ１０３に電力を供給するための電池やスイッチを含む不図示の電気手段がベースとピボットアーム１０２内に収容されている。又、ベースにはカバー１０４が取り付けられており、該カバー１０４とベースは長手方向軸Ｘを中心として回転する。
【先行技術文献】
【特許文献】
【０００４】
【特許文献１】特開２００７−０５９３９８号公報
【発明の概要】
【発明が解決しようとする課題】
【０００５】
ところで、携帯用照明装置の光源としてＬＥＤを使用する場合、該ＬＥＤの光量と照明としての寿命を確保するためには複数の電池を使用しなければならないが、図１１に示した従来のランプ１０１においては、電池用のスペースが必要であるため、複数の電池を使用しようとするとランプ１０１自体が大型化してしまうという問題がある。
【０００６】
又、図１１に示した従来のランプ１０１においては、ピボットアーム１０２には電池収納部よりも大きな径が必要となり、横方向軸Ｙへの自由度がない場合には使用できないという問題もある。
【０００７】
本発明は上記問題に鑑みてなされたもので、その目的とする処は、ベースの軸内に電池を収納することによって小型化を図るとともに、電源ユニットを３６０°回転させても断線や不灯が発生することがない携帯用照明装置を提供することにある。
【課題を解決するための手段】
【０００８】
上記目的を達成するため、請求項１記載の発明は、電池を収容する電池ケースと、光源と該光源への前記電池から給電をＯＮ／ＯＦＦするスイッチを含む駆動部と、該駆動部と前記電池ケースを保持するベースを備えた光源ユニットと、
該光源ユニットを第１の方向に配置された第１軸を中心として３６０°回転可能に保持するベースケースと、
で携帯用照明装置を構成したことを特徴とする。
【０００９】
請求項２記載の発明は、請求項１記載の発明において、前記光源ユニットと前記ベースケースの一方に突設された複数の爪を他方に形成された複数の係合溝に係合させることによって光源ユニットをベースケースに対して回転可能に保持するとともに、前記爪とこれが係合する前記係合溝とを周方向に不等角ピッチで形成したことを特徴とする。
【００１０】
請求項３記載の発明は、請求項１又は２記載の発明において、前記駆動部を前記ベースに前記第１軸と直交する第２軸を中心として９０°以上回動可能に軸支したことを特徴とする。
【００１１】
請求項４記載の発明は、請求項３記載の発明において、前記駆動部の前記ベースへの軸支部周りに複数の凹凸部によるクリック機構を設けたことを特徴とする。
【００１２】
請求項５記載の発明は、請求項４記載の発明において、前記凹凸部を前記駆動部の軸支部の両側に設けるとともに、各側に設けられた凹凸部の配列位相を互いにずらせたことを特徴とする。
【発明の効果】
【００１３】
請求項１記載の発明によれば、光源や電池を含む光源ユニットをベースケースに対して第１軸を中心として３６０°回転可能に保持し、ベースの軸内に電池を収納するようにしたため、電池用のスペースを別途設ける必要がなく、当該携帯用照明装置の小型化を図ることができるとともに、光源ユニットをベースケースに対して３６０°回転させても、これに含まれる光源や電池等は一体的に回転するため、電池から光源に給電するためのリード線が断線して光源が点灯しない等の不具合が発生することがない。
【００１４】
請求項２記載の発明によれば、光源ユニットとベースケースの一方に形成された爪と他方に形成された係合溝とを周方向に不等角ピッチで形成したため、光源ユニットがどの角度位置にあっても少なくとも何れかの爪と係合溝とは係合していることとなり、光源ユニットがベースケースから脱落するという不具合の発生が防がれる。
【００１５】
請求項３記載の発明によれば、光源を含む駆動部をベースに第１軸と直交する第２軸を中心として９０°以上回動可能に軸支したため、ベースケースが固定された状態でも、少なくとも立体角１８０°の範囲で任意の方向に光を照射することができる。
【００１６】
請求項４記載の発明によれば、複数の凹凸部によるクリック機構によって駆動部の回動（起倒）にクリック感が付与され、駆動部の起立角度を任意に設定することができる。
【００１７】
請求項５記載の発明によれば、クリック機構を構成する凹凸部を駆動部の軸支部の両側に設けるとともに、各側に設けられた凹凸部の配列位相を互いにずらせたため、駆動部を片側に設けられた凹凸部の配列ピッチの１／２のピッチで細かく角度調整して位置決めすることができる。
【図面の簡単な説明】
【００１８】
【図１】本発明に係る携帯用照明装置の斜視図である。
【図２】本発明に係る携帯用照明装置の平面図である。
【図３】図２のＡ−Ａ線断面図である。
【図４】本発明に係る携帯用照明装置の正面図である。
【図５】図４のＢ−Ｂ線断面図である。
【図６】本発明に係る携帯用照明装置の駆動部を取り外して示す斜視図である。
【図７】本発明に係る携帯用照明装置の分解斜視図である。
【図８】本発明に係る携帯用照明装置の光源ユニットの底面図である。
【図９】本発明に係る携帯用照明装置のベースケースの正面図である。
【図１０】図９のＣ−Ｃ線断面図である。
【図１１】特許文献１において提案されたランプの斜視図である。
【発明を実施するための形態】
【００１９】
以下に本発明の実施の形態を添付図面に基づいて説明する。
【００２０】
図１は本発明に係る携帯用照明装置の斜視図、図２は同携帯用照明装置の平面図、図３は図２のＡ−Ａ線断面図、図４は同携帯用照明装置の正面図、図５は図４のＢ−Ｂ線断面図、図６は同携帯用照明装置の駆動部を取り外して示す斜視図、図７は同携帯用照明装置の分解斜視図、図８は同携帯用照明装置の光源ユニットの底面図、図９は同携帯用照明装置のベースケースの正面図、図１０は図９のＣ−Ｃ線断面図である。
【００２１】
本実施の形態に係る携帯用照明装置１は、二輪車のライダーや自動車のドライバ等の腕に腕時計式にはめて使用されるものであって、略円柱状の光源ユニット２をベースケース３の中央に開口する円形凹部３Ａ（図６参照）に３６０°水平回転可能に嵌め込んで構成されている。ここで、光源ユニット２は、図１に示すように、第１の方向である垂直方向に配置された第１軸（以下、「垂直軸」と称する）Ｘを中心としてベースケース３に対して３６０°回転可能に保持されている。
【００２２】
ところで、光源ユニット２は、図３に示すように、円柱状の電池４を収容する電池ケース５と、光源である３個のＬＥＤ６と該ＬＥＤ６への前記電池４から給電をＯＮ／ＯＦＦするスイッチ７等を含む駆動部８と、該駆動部８と前記電池ケース５を保持するベース９を備えており、電池４の上下には電極１０，１１が配されている。
【００２３】
又、前記駆動部８に設けられた３個の前記ＬＥＤ６は基板１２に実装されて周方向に配置されており、前記スイッチ７は、駆動部８の上面に露出するスイッチキャップ１３と、該スイッチキャップ１３にネジ１４によって結着されたスイッチ端子１５を備えており、図示矢印方向にスライドすることによって電池４からＬＥＤ６への給電をＯＮ／ＯＦＦする。
【００２４】
而して、光学ユニット２のベース９の周囲には３本の爪９ａが鉛直下方に突設されているが、図８に示すように、これらの爪９ａは周方向に不等角ピッチで形成されている。即ち、各爪９ａの周方向の配列ピッチ角θ１，θ２，θ３は互いに異なる値に設定されている（θ１≠θ２≠θ３）。
【００２５】
又、図７及び図１０に示すように、ベースケース３に形成された前記円形凹部３Ａの内周には、光源ユニット２のベース９に突設された３本の爪９ａがそれぞれ係合する３つの係合溝３ａ，３ｂ，３ｃが形成されているが、これらの係合溝３ａ，３ｂ，３ｃは周方向に不等角ピッチで形成されている。即ち、各係合溝３ａ，３ｂ，３ｃの周方向の配列ピッチ角α１，α２，α３及び周方向長さは互いに異なる値に設定されている（α１≠α２≠α３）。尚、ベースケース３の両端には二股状の取付部３Ｂが形成されており、これらの取付部３Ｂには不図示のバンドが取り付けられる。
【００２６】
ところで、本実施の形態では、光源ユニット２の駆動部８は、ベース９に前記垂直軸Ｘと直交する第２軸（以下、「横方向軸」と称する）Ｙを中心として９０°以上回動可能に軸支されており、該駆動部８のＬＥＤ６が設けられた側を任意の角度に起立させることができる。ここで、駆動部８のベース９に対する枢支機構を図５及び図６に基づいて説明する。
【００２７】
ベース９のＬＥＤ６が配される側とは反対側の上面には中空ブロック状の支持部９Ａが一体に立設されており、この支持部９Ａには横孔９ｂが貫設されている。そして、支持部９Ａの左右両面の前記横孔９ｂの周囲には複数（図示例では４つ）の円穴状凹部９ｃ（図６には片面のみ図示）が駆動部８の回動軌跡に沿って円弧状に適当な角度ピッチで形成されている。
【００２８】
而して、駆動部８のＬＥＤ６が配される側とは反対側には二股状の支持部８Ａが形成され、これらの支持部８Ａの間に形成された凹部８ａがベース９に立設された前記支持部９Ａに嵌め込まれ、両支持部８Ａ，９Ａがこれらにそれぞれ貫設された横孔８ｂ，９ｂに挿通する２本の中空軸１６によって連結されることによって、駆動部８が中空軸１６（横方向軸Ｙ）を中心としてベース９に対して前述のように９０°以上回動可能に軸支されている。
【００２９】
ここで、図５に示すように、駆動部８の二股状の各支持部８Ａの内面にはベース９側の支持部９Ａの左右両面に形成された前記凹部９ｃに選択的に嵌合する円柱状の凸部８ｃがそれぞれ形成されており、互いに嵌合する凸部８ｃと凹部９ｃとはクリック機構を構成しており、このクリック機構によって駆動部８の中空軸１６（横方向軸Ｙ）を中心とする回動にクリック感が付与される。そして、本実施の形態では、クリック機構を構成する凹部９ｃと凸部８ｃにおいて、ベース９の支持部９Ａの一方の側に設けられた凹部９ｃとこれに選択的に嵌合する駆動部８側の凸部８ｃと、ベース９の支持部９Ａの他方の側に設けられた凹部９ｃとこれに選択的に嵌合する駆動部８側の凸部８ｃとは位相が互いにずらされて配置されている。
【００３０】
以上において、本実施の形態に係る携帯用照明装置１においては、ＬＥＤ６や電池４を含む光源ユニット２をベースケース３に対して垂直軸Ｘを中心として３６０°回転可能に保持し、ベース９の軸内に電池４を収納するようにしたため、電池４用のスペースを別途設ける必要がなく、当該携帯用照明装置１の小型化を図ることができるとともに、光源ユニット２をベースケース３に対して３６０°回転させても、これに含まれるＬＥＤ６や電池４等は一体的に回転するため、電池４からＬＥＤ６に給電するための不図示のリード線が断線してＬＥＤ６が点灯しない等の不具合が発生することがない。
【００３１】
又、光源ユニット２のベース９に形成された爪９ａとベースケース８の円形凹部８Ａに形成された係合溝８ａ，８ｂ，８ｃとを周方向に不等角ピッチで形成したため、光源ユニット２がどの角度位置にあっても少なくとも何れかの爪９ａと係合溝８ａ〜８ｃとは係合していることとなり、光源ユニット２がベースケース３から脱落するという不具合の発生が防がれる。
【００３２】
更に、本実施の形態では、ＬＥＤ６を含む駆動部８をベース９に垂直軸Ｘと直交する横方向軸Ｙを中心として９０°以上回動可能に軸支したため、ベースケース３が固定された状態でも、少なくとも立体角１８０°の範囲でＬＥＤ６から任意の方向に光を照射することができる。
【００３３】
そして、本実施の形態においては、ベース９側の支持部９Ａの両側に形成された複数の凹部９ｃと駆動部８側に突設された凸部８ｃによって構成されるクリック機構によって駆動部８の回動（起倒）にクリック感が付与され、駆動部８の起立角度を任意に設定することができる。この場合、前述のようにベース９の支持部９Ａの一方の側に設けられた凹部９ｃとこれに選択的に嵌合する駆動部８側の凸部８ｃと、ベース９の支持部９Ａの他方の側に設けられた凹部９ｃとこれに選択的に嵌合する駆動部８側の凸部８ｃとは位相が互いにずらされて配置されているため、駆動部８を各側に設けられた凹部９ｃの配列ピッチの１／２のピッチで細かく角度調整して位置決めすることができる。
【００３４】
尚、以上の実施の形態では、光源として３個のＬＥＤを使用したが、光源としてはＬＥＤ以外の白熱ランプや蛍光ランプ等の他の任意のものを使用することができ、その個数も任意である。又、本実施の形態では、光源ユニット側に３本の爪を形成し、ベースケース側に３つの係合溝を形成したが、これとは逆にベースケース側に爪を形成し、光源ユニット側に係合溝を形成しても良く、それらの数も任意である。
【産業上の利用可能性】
【００３５】
本発明に係る携帯用照明装置は、一般照明以外にイルミネーション等の用途に供せられる。
【符号の説明】
【００３６】
１          携帯用照明装置
２          光源ユニット
３          ベースケース
３Ａ        ベースケースの円形凹部
３Ｂ        ベースケースの取付部
３ａ〜３ｃ  ベースケースの係合溝
４          電池
５          電池ケース
６          ＬＥＤ（光源）
７          スイッチ
８          駆動部
８Ａ        駆動部の支持部
８ａ        駆動部の凹部
８ｂ        駆動部の横孔
８ｃ        駆動部の凸部
９          ベース
９Ａ        ベースの支持部
９ａ        ベースの爪
９ｂ        ベースの横孔
９ｃ        ベースの凹部
１０，１１  電極
１２        基板
１３        スイッチキャップ
１４        ネジ
１５        スイッチ端子
１６        中空軸
Ｘ          垂直軸（第１軸）
Ｙ          横方向軸（第２軸）
【図１】
2010165606.tif 000003
【図２】
2010165606.tif 000004
【図３】
2010165606.tif 000005
【図４】
2010165606.tif 000006
【図５】
2010165606.tif 000007
【図６】
2010165606.tif 000008
【図７】
2010165606.tif 000009
【図８】
2010165606.tif 000010
【図９】
2010165606.tif 000011
【図１０】
2010165606.tif 000012
【図１１】
2010165606.tif 000013